(57)【要約】【課題】本発明の目的は、全画面用のディスプレイパネルの輝度補正方法、及びディスプレイパネルの輝度補正装置を提供して、透明表示領域と非透明表示領域の表示輝度が一致するようにすることである。【解決手段】本発明は、ディスプレイパネルの輝度補正方法、及びディスプレイパネルの輝度補正装置を提供し、ディスプレイパネルは、透明表示領域と非透明表示領域とを含み、透明表示領域は、両面発光表示領域であり、透明表示領域の正面は、環境光から近い側の面であり、背面は、環境光から遠い側の面であり、当該輝度補正方法は、輝度補正起動命令に従って輝度補正プロセスを起動するステップと、現在状態での透明表示領域の入力電圧の絶対値と透明表示領域の発光輝度値との関係を示す第１曲線を取得し、輝度補正のための入力電圧の絶対値と前記透明表示領域の発光輝度値との関係曲線として当該第１曲線を記録するステップと、透明表示領域の正面発光輝度値が非透明表示領域の発光輝度値と一致するように、または、前記透明表示領域の正面発光輝度値が工場出荷設定輝度値に戻るように、前記第１曲線に従って前記透明表示領域の入力電圧を調整するステップと、を含む。【選択図】図３
2021533418.tif 000002
【特許請求の範囲】
【請求項１】
ディスプレイパネルの輝度補正方法であって、
前記ディスプレイパネルは、
透明表示領域と、
非透明表示領域と、を含み、
ここで、前記透明表示領域は、両面発光表示領域であり、前記透明表示領域の正面は、環境光から近い側の面であり、背面は、前記環境光から遠い側の面であり、
前記輝度補正方法は、
輝度補正起動命令に従って輝度補正プロセスを起動するステップと、
現在状態での前記透明表示領域の入力電圧の絶対値と前記透明表示領域の発光輝度値との関係を示す第１曲線を取得するステップと、
輝度補正のための入力電圧の絶対値と前記透明表示領域の発光輝度値との関係曲線として前記第１曲線を記録するステップと、
前記透明表示領域の正面発光輝度値が前記非透明表示領域の発光輝度値と一致するように、または、前記透明表示領域の正面発光輝度値が工場出荷設定輝度値に戻るように、前記第１曲線に従って前記透明表示領域の入力電圧を調整するステップと、を含む
ことを特徴とするディスプレイパネルの輝度補正方法。
【請求項２】
前記第１曲線は、前記透明表示領域の前記現在状態でのガンマ曲線である
ことを特徴とする請求項１に記載のディスプレイパネルの輝度補正方法。
【請求項３】
前記輝度補正起動命令に従って輝度補正プロセスを起動するステップの前に、
ユーザが発した輝度補正指示を受信して前記輝度補正起動命令を生成するステップをさらに含み、
ユーザが発した輝度補正指示を受信して輝度補正起動命令を生成するステップの後に、
ユーザが発した輝度補正指示を受信して前記輝度補正起動命令を生成するステップと、
前記現在状態で前記透明表示領域の発光輝度値が所定の輝度減衰要件を満たすか否かを判断するステップと、
前記現在状態で透明表示領域の発光輝度値が前記所定の輝度減衰要件を満たす場合、前記輝度補正起動命令に従って輝度補正プロセスを起動するステップと、をさらに含み、
ユーザが発した輝度補正指示を受信して輝度補正起動命令を生成するステップの後に、
ユーザが発した輝度補正指示を受信して前記輝度補正起動命令を生成するステップと、
現在時間長さが所定の輝度補正サイクル内の輝度補正時間長さ要件を満たすか否かを判断するステップと、
前記現在時間長さが前記輝度補正時間長さ要件を満たす場合、前記輝度補正起動命令に従って輝度補正プロセスを起動するステップと、をさらに含む
ことを特徴とする請求項１または２に記載のディスプレイパネルの輝度補正方法。
【請求項４】
前記輝度補正起動命令に従って輝度補正プロセスを起動するステップの前に、
前記現在状態で前記透明表示領域の発光輝度値が所定の輝度減衰要件を満たすか否かを判断するステップと、
前記現在状態で透明表示領域の発光輝度値が前記所定の輝度減衰要件を満たす場合、前記輝度補正起動命令を生成するステップと、をさらに含み、
前記輝度補正起動命令に従って輝度補正プロセスを起動するステップの前に、
現在時間長さが所定の輝度補正サイクル内の輝度補正時間長さ要件を満たすか否かを判断するステップと、
前記現在時間長さが前記輝度補正時間長さ要件を満たす場合、前記輝度補正起動命令を生成するステップと、をさらに含む
ことを特徴とする請求項１または２に記載のディスプレイパネルの輝度補正方法。
【請求項５】
環境光の強度を判断するステップと、
前記環境光の強度が所定の閾値よりも低い場合、前記輝度補正起動命令を生成するステップと、をさらに含み、
輝度補正起動命令を生成する前に、
現在時点がユーザの空き時間であるか否かを判断するステップと、
前記現在時点が前記ユーザの空き時間である場合、前記輝度補正起動命令を生成するステップと、をさらに含み、
ここで、前記空き時間は、前記ディスプレイパネルのスリープ時間が所定の閾値を超えた後の時間帯、および／または、所定の固定時間帯である
ことを特徴とする請求項１に記載のディスプレイパネルの輝度補正方法。
【請求項６】
前記輝度補正起動命令に従って輝度補正プロセスを起動するステップの前に、
前記現在状態で、前記透明表示領域の現在入力電圧と前記透明表示領域の発光輝度値との関係を示す第１曲線を補正する必要があるか否かを判断するステップと、
前記第１曲線を補正する必要がある場合、輝度補正プロセスを起動するステップと、をさらに含み、
前記現在状態で、前記透明表示領域の現在入力電圧と前記発光輝度値との関係を示す第１曲線を補正する必要があるか否かを判断するステップは、
少なくとも前記透明表示領域の高レベル、中レベル、および、低レベルの階調の表示状態での、各入力電圧に対応する参考輝度値を取得するステップと、
現在記録された入力電圧の絶対値と前記透明表示領域の発光輝度値との関係曲線に従って、前記各入力電圧に対応する参考輝度値の中に、前記関係曲線中の該当する入力電圧に対応する発光輝度値との差分値が所定の閾値を超える参考輝度値が、１つ以上あるか否かを判断するステップと、を含み、
前記差分値が所定の閾値を超えた場合、前記第１曲線を補正する必要がある
ことを特徴とする請求項１に記載のディスプレイパネルの輝度補正方法。
【請求項７】
前記透明表示領域の発光輝度値は、前記透明表示領域の背面発光輝度値、または、前記透明表示領域の正面発光輝度値である
ことを特徴とする請求項１に記載のディスプレイパネルの輝度補正方法。
【請求項８】
前記透明表示領域の下方には、感光素子が設けられており、
前記第１曲線は、前記透明表示領域の入力電圧の絶対値と前記透明表示領域の背面発光輝度値との関係を示し、
現在状態での前記透明表示領域の入力電圧の絶対値と前記透明表示領域の発光輝度値との関係を示す第１曲線を取得するステップは、
前記透明表示領域のピクセルに対して異なる入力電圧を印加し、前記感光素子を利用して異なる入力電圧での前記透明表示領域の背面発光輝度値を取得して、前記第１曲線を得るステップを含み、
前記感光素子を利用して異なる入力電圧での前記透明表示領域の背面発光輝度値を取得するステップは、
前記感光素子を利用して点灯後の前記透明表示領域の背面を撮影して、前記透明表示領域の背面の輝度画像を得るステップと、
前記輝度画像を分析して異なる入力電圧での前記透明表示領域の背面発光輝度値を取得するステップと、を含む
ことを特徴とする請求項７に記載のディスプレイパネルの輝度補正方法。
【請求項９】
前記第１曲線に従って前記透明表示領域の入力電圧を調整するステップは、
予め記憶された前記透明表示領域の正面発光輝度値と背面発光輝度値との比率値および前記現在状態での前記非透明表示領域の発光輝度値に基づいて、非透明表示領域の発光輝度値と一致するときの透明表示領域の第１背面発光輝度値、または、前記透明表示領域の正面の工場出荷設定輝度値に対応する第１背面発光輝度値を得るステップであって、ここで、同一の透明表示領域の場合、異なる入力電圧での前記正面発光輝度値と背面発光輝度値との比率値は一意に定まる、ステップと、
前記第１曲線に従って前記第１背面発光輝度値に対応する第１入力電圧を確定するステップと、
前記透明表示領域の正面発光輝度値が非透明表示領域の発光輝度値と一致するように、または、前記透明表示領域の正面発光輝度値が工場出荷設定輝度値に戻るように、前記透明表示領域のデータ線に対して前記第１入力電圧を提供するステップと、を含む
ことを特徴とする請求項７に記載のディスプレイパネルの輝度補正方法。
【請求項１０】
前記透明表示領域のピクセルは、ｎ種類の色のサブピクセルを含み、ｎは、正の整数であり、
現在状態での前記透明表示領域の入力電圧の絶対値と前記透明表示領域の発光輝度値との関係を示す第１曲線を取得するステップは、
前記透明表示領域のｎ種類の色のサブピクセルに対して入力電圧を同時に印加して、白色画面で対応する各色のサブピクセルのそれぞれの第１曲線を得るステップを含み、
または、前記現在状態での前記透明表示領域の入力電圧の絶対値と前記透明表示領域の発光輝度値との関係を示す第１曲線を取得するステップは、
前記透明表示領域の第ｎ種類の色のサブピクセルに対してそれぞれ入力電圧を印加して、前記透明表示領域が第ｎ種類の色の画面を表示するようにするステップと、
ｎ種類の色のサブピクセルに対応する第１曲線をすべて得るまで、第ｎ種類の色の画面で前記第ｎ種類の色のサブピクセルに対応する第１曲線を得る過程を繰り返すステップと、を含み、
ｎ=３であり、前記透明表示領域のピクセルは、第１色のサブピクセル、第２色のサブピクセル、および、第３色のサブピクセルを含み、前記第１色のサブピクセル、前記第２色のサブピクセル、前記第３色のサブピクセルは、それぞれ、Ｒサブピクセル、Ｇサブピクセル、Ｂサブピクセルである
ことを特徴とする請求項１に記載のディスプレイパネルの輝度補正方法。
【請求項１１】
現在状態での前記透明表示領域の入力電圧の絶対値と前記透明表示領域の発光輝度との関係を示す第１曲線を取得するステップは、
前記ディスプレイパネルの現在の減衰状態を取得するステップと、
予め記憶された第１曲線のセットの中から、前記ディスプレイパネルの現在の減衰状態に対応する第１曲線を検索するステップであって、ここで、前記第１曲線のセットは、前記ディスプレイパネルの異なる減衰状態での、前記透明表示領域の入力電圧の絶対値と前記透明表示領域の発光輝度値との関係を示す第１曲線のセットである、ステップと、を含み、
または、
前記ディスプレイパネルの現在の作動時間長さを取得するステップと、
予め記憶された第１曲線のセットの中から、前記ディスプレイパネルの現在の作動時間長さに対応する第１曲線を検索するステップであって、ここで、前記第１曲線のセットは、前記ディスプレイパネルの作動時間長さに対応する、異なる減衰状態での、前記透明表示領域の入力電圧の絶対値と前記透明表示領域の発光輝度値との関係を示す第１曲線のセットである、ステップと、を含む
ことを特徴とする請求項１に記載のディスプレイパネルの輝度補正方法。
【請求項１２】
前記ディスプレイパネルが工場出荷される前に、前記透明表示領域の発光材料の減衰サイクルと減衰状態に基づいて前記第１曲線のセットを取得するステップをさらに含み、
ここで、前記透明表示領域のピクセルは、ｎ種類の色のサブピクセルを含み、ｎは、正の整数であり、前記第１曲線のセットは、ｎ種類の色のサブピクセルのそれぞれに対応する第１曲線のセットを含む
ことを特徴とする請求項１１に記載のディスプレイパネルの輝度補正方法。
【請求項１３】
ディスプレイパネルの輝度補正方法であって、
前記ディスプレイパネルは、
透明表示領域と、
非透明表示領域と、を含み、
ここで、前記透明表示領域は、両面発光表示領域であり、前記透明表示領域の正面は、環境光から近い側の面であり、背面は、前記環境光から遠い側の面であり、
前記輝度補正方法は、
輝度補正起動命令に従って輝度補正プロセスを起動するステップと、
前記ディスプレイパネルの現在の作動時間長さ、および／または、前記ディスプレイパネルの現在の輝度減衰状態を取得するステップと、
予め記憶された第１データ関係のセットの中から、前記ディスプレイパネルの現在の作動時間長さに対応する第１データ関係を検索し、および／または、予め記憶された第２データ関係のセットの中から、前記ディスプレイパネルの現在の輝度減衰状態に対応する第２データ関係を検索するステップと、
輝度補正のための入力電圧の絶対値と前記透明表示領域の発光輝度値との対応関係として前記第１データ関係および／または前記第２データ関係を記録するステップであって、ここで、前記第１データ関係のセットは、予め記憶された、前記ディスプレイパネルの異なる作動時間長さの範囲内の、入力電圧の絶対値と前記透明表示領域の発光輝度値との対応関係のセットであり、前記第２データ関係のセットは、予め記憶された、前記ディスプレイパネルの異なる減衰状態の範囲内の、入力電圧の絶対値と前記透明表示領域の発光輝度値との対応関係のセットである、ステップと、
透明表示領域の正面発光輝度値が非透明表示領域の発光輝度値と一致するように、または、前記透明表示領域の正面発光輝度値が工場出荷設定輝度値に戻るように、前記第１データ関係および／または前記第２データ関係に基づいて、前記透明表示領域の入力電圧を調整するステップと、を含む
ことを特徴とするディスプレイパネルの輝度補正方法。
【請求項１４】
前記ディスプレイパネルが工場出荷される前に、前記透明表示領域の発光材料の減衰サイクルと減衰状態に基づいて前記第１データ関係のセットおよび前記第２データ関係のセットを得るステップをさらに含み、
前記第１データ関係のセットおよび前記第２データ関係のセットの中には、少なくとも前記透明表示領域の高レベル、中レベル、低レベルの階調の表示状態での各入力電圧の絶対値と対応する発光輝度値との対応関係が含まれており、
前記透明表示領域のピクセルは、ｎ種類の色のサブピクセルを含み、ｎは、正の整数であり、前記第１データ関係のセットおよび前記第２データ関係のセットの中には、各種類の色の表示画面での各色のサブピクセルに対応する各入力電圧の絶対値と対応する発光輝度値との対応関係が含まれており、
ｎ=３であり、前記透明表示領域のピクセルは、第１色のサブピクセル、第２色のサブピクセル、および、第３色のサブピクセルを含み、前記第１色のサブピクセル、前記第２色のサブピクセル、前記第３色のサブピクセルは、それぞれ、Ｒサブピクセル、Ｇサブピクセル、Ｂサブピクセルであり、
前記予め記憶された第１データ関係のセットの中から、前記ディスプレイパネルの現在の作動時間長さに対応する第１データ関係を検索するステップは、
予め記憶された前記第１データ関係のセットの中から、前記ディスプレイパネルの現在の作動時間長さに対応する、第ｎ種類の色のサブピクセルに対応する第１データ関係をそれぞれ検索するステップを含み、
前記予め記憶された第２データ関係のセットの中から、前記ディスプレイパネルの現在の輝度減衰状態に対応する第２データ関係を検索するステップは、
予め記憶された前記第２データ関係のセットの中から、前記ディスプレイパネルの現在の輝度減衰状態に対応する、第ｎ種類の色のサブピクセルに対応する第２データ関係をそれぞれ検索するステップを含む
ことを特徴とする請求項１３に記載のディスプレイパネルの輝度補正方法。
【請求項１５】
ディスプレイパネルの輝度補正装置であって、
前記ディスプレイパネルは、
透明表示領域と、
非透明表示領域と、を含み、
前記透明表示領域は、両面発光表示領域であり、前記透明表示領域の正面は、環境光から近い側の面であり、背面は、前記環境光から遠い側の面であり、
前記輝度補正装置は、
輝度補正起動命令に従って輝度補正プロセスを起動するための起動モジュールと、
現在状態での前記透明表示領域の入力電圧の絶対値と前記透明表示領域の発光輝度値との関係を示す第１曲線を取得するための第１曲線取得モジュールと、
前記第１曲線を記憶するための第１記憶モジュールと、
輝度補正のための入力電圧の絶対値と前記透明表示領域の輝度関係曲線として前記第１曲線を記録するための更新モジュールと、
前記透明表示領域の正面発光輝度値が非透明表示領域の発光輝度値と一致するように、または、前記透明表示領域の正面発光輝度値が工場出荷設定輝度値に戻るように、前記第１曲線に従って前記透明表示領域の入力電圧を調整する補正モジュールと、を備える
ことを特徴とするディスプレイパネルの輝度補正装置。
【請求項１６】
ユーザが発した輝度補正指示を受信するための受信モジュールと、
輝度補正起動命令を生成するための起動命令生成モジュールと、
現在状態での前記透明表示領域の発光輝度値が所定の輝度減衰要件を満たすか否かを判断するための第１判断モジュールと、
現在時間長さが所定の輝度補正サイクル内の輝度補正時間長さ要件を満たすか否かを判断するための第２判断モジュールと、
環境光の強度を判断するための第３判断モジュールと、
現在時点がユーザの空き時間であるか否かを判断するための第４判断モジュールであって、ここで、前記空き時間は、前記ディスプレイパネルのスリープ時間が所定の閾値を超えた後の時間帯、および／または、所定の固定時間帯である、第４判断モジュールと、
現在状態での透明表示領域の現在入力電圧と発光輝度値との関係を示す第１曲線を補正する必要があるか否かを判断するための第５判断モジュールと、をさらに備える
ことを特徴とする請求項１５に記載のディスプレイパネルの輝度補正装置。
【請求項１７】
前記透明表示領域の背面の輝度画像を分析して、異なる入力電圧での透明表示領域の背面発光輝度値を取得するための画像分析モジュールと、
透明表示領域の正面発光輝度値と背面発光輝度値との比率値を記憶するための第２記憶モジュールであって、ここで、同一の透明表示領域の場合、異なる入力電圧での前記正面発光輝度値と背面発光輝度値との比率値は一意に定まる、第２記憶モジュールと、
第１曲線のセットを記憶するための第３記憶モジュールであって、ここで、前記第１曲線のセットは、前記ディスプレイパネルの異なる減衰状態での、前記透明表示領域の入力電圧の絶対値と前記透明表示領域の発光輝度値との関係を示す第１曲線のセットであり、または、前記第１曲線のセットは、前記ディスプレイパネルの作動時間長さに対応する、異なる減衰状態での、前記透明表示領域の入力電圧の絶対値と前記透明表示領域の発光輝度値との関係を示す第１曲線のセットである、第３記憶モジュールと、をさらに備える
ことを特徴とする請求項１５に記載のディスプレイパネルの輝度補正装置。
【発明の詳細な説明】
【技術分野】
【０００１】
本発明は、ディスプレイの分野に関し、特に、ディスプレイパネルの輝度補正方法、及びディスプレイパネルの輝度補正装置に関する。
【背景技術】
【０００２】
ディスプレイ端末の急速な発展に伴い、ユーザの画面占有率に対する要求がますます高くなっており、ディスプレイ端末の全画面表示が業界によってますます注目されている。携帯電話やタブレットコンピュータなどのディスプレイ端末は、たとえばフロントカメラ、イヤピース、赤外線検知要素などを統合する必要があるため、ディスプレイパネルの、ノッチディスプレイエリアや穴あきエリアなど、スロットエリアは画面の表示に利用できない。撮影機能を実現する電子デバイスの場合、外部光がディスプレイパネル上の孔部からディスプレイパネルの下方に位置する感光素子に入る可能性がある。しかしながら、これら電子デバイスは、いずれも、本当の意味での全画面ではなく、ディスプレイパネル全体のすべての領域に表示できるわけではない。たとえば、ディスプレイパネルのカメラ領域に画面を表示することができない。
【発明の概要】
【発明が解決しようとする課題】
【０００３】
本発明の目的は、全画面用のディスプレイパネルの輝度補正方法、及びディスプレイパネルの輝度補正装置を提供して、透明表示領域と非透明表示領域の表示輝度が一致するようにすることである。
【０００４】
上述した目的を実現するために、本発明は、ディスプレイパネルの輝度補正方法を提供し、前記ディスプレイパネルは、透明表示領域と非透明表示領域とを含み、ここで、前記透明表示領域は、両面発光表示領域であり、前記透明表示領域の正面は、環境光から近い側の面であり、背面は、前記環境光から遠い側の面であり、前記輝度補正方法は、輝度補正起動命令に従って輝度補正プロセスを起動するステップと、現在状態での前記透明表示領域の入力電圧の絶対値と前記透明表示領域の発光輝度値との関係を示す第１曲線を取得するステップと、輝度補正のための入力電圧の絶対値と前記透明表示領域の発光輝度値との関係曲線として前記第１曲線を記録するステップと、前記透明表示領域の正面発光輝度値が前記非透明表示領域の発光輝度値と一致するように、または、前記透明表示領域の正面発光輝度値が工場出荷設定輝度値に戻るように、前記第１曲線に従って前記透明表示領域の入力電圧を調整するステップと、を含む。
【０００５】
本発明は、ディスプレイパネルの輝度補正方法をさらに提供し、前記ディスプレイパネルは、透明表示領域と非透明表示領域とを含み、ここで、前記透明表示領域は、両面発光表示領域であり、前記透明表示領域の正面は、環境光から近い側の面であり、背面は、前記環境光から遠い側の面であり、前記輝度補正方法は、輝度補正起動命令に従って輝度補正プロセスを起動するステップと、前記ディスプレイパネルの現在の作動時間長さ、および／または、前記ディスプレイパネルの現在の輝度減衰状態を取得するステップと、予め記憶された第１データ関係のセットの中から、前記ディスプレイパネルの現在の作業時間長さに対応する第１データ関係を検索し、および／または、予め記憶された第２データ関係のセットの中から、前記ディスプレイパネルの現在の輝度減衰状態に対応する第２データ関係を検索するステップと、輝度補正のための入力電圧の絶対値と前記透明表示領域の発光輝度値との対応関係として前記第１データ関係および／または前記第２データ関係を記録するステップであって、ここで、前記第１データ関係のセットは、予め記憶された、前記ディスプレイパネルの異なる作業時間長さの範囲内の、入力電圧の絶対値と前記透明表示領域の発光輝度値との対応関係のセットであり、前記第２データ関係のセットは、予め記憶された、前記ディスプレイパネルの異なる減衰状態の範囲内の、入力電圧の絶対値と前記透明表示領域の発光輝度値との対応関係のセットである、ステップと、透明表示領域の正面発光輝度値が非透明表示領域の発光輝度値と一致するように、または、前記透明表示領域の正面発光輝度値が工場出荷設定輝度値に戻るように、前記第１データ関係および／または前記第２データ関係に基づいて、前記透明表示領域の入力電圧を調整するステップと、を含む。
【０００６】
本発明は、ディスプレイパネルの輝度補正装置をさらに提供し、前記ディスプレイパネルは、透明表示領域と非透明表示領域とを含み、ここで、前記透明表示領域は、両面発光表示領域であり、前記透明表示領域の正面は、環境光から近い側の面であり、背面は、前記環境光から遠い側の面であり、前記輝度補正装置は、輝度補正起動命令に従って輝度補正プロセスを起動するための起動モジュールと、現在状態での前記透明表示領域の入力電圧の絶対値と前記透明表示領域の発光輝度値との関係を示す第１曲線を取得するための第１曲線取得モジュールと、前記第１曲線を記憶するための第１記憶モジュールと、輝度補正のための入力電圧の絶対値と前記透明表示領域の輝度関係曲線として前記第１曲線を記録するための更新モジュールと、前記透明表示領域の正面発光輝度値が非透明表示領域の発光輝度値と一致するように、または、前記透明表示領域の正面発光輝度値が工場出荷設定輝度値に戻るように、前記第１曲線に従って前記透明表示領域の入力電圧を調整する補正モジュールと、を備える。
【図面の簡単な説明】
【０００７】
【図１】本発明のディスプレイパネルの１実施例の上面図である。
【図２】本発明の透明表示領域および非透明表示領域の発光の模式図であり、図１におけるＡＡ直線に沿う断面図に対応される。
【図３】本発明のディスプレイパネルの輝度補正方法の１実施例のプロセスの模式図である。
【図４】本発明のディスプレイパネルの輝度補正方法の第１曲線の模式図である。
【図５】本発明のディスプレイパネルの輝度補正方法の輝度補正起動命令を手動的にトリガするプロセスの模式図である。
【図６】本発明のディスプレイパネルの輝度補正方法の輝度補正起動命令を自動的にトリガするプロセスの模式図である。
【図７】本発明のディスプレイパネルの輝度補正方法のもう１実施例のプロセスの模式図である。
【図８】本発明のディスプレイパネルの輝度補正装置の１実施例のモジュールの模式図である。
【図９】本発明のディスプレイパネルの輝度補正装置の１実施例のモジュールの模式図である。
【図１０】本発明のディスプレイパネルの輝度補正装置の１実施例のモジュールの模式図である。
【図１１】本発明のディスプレイパネルの輝度補正装置の１実施例のモジュールの模式図である。
【図１２】本発明のディスプレイパネルの輝度補正装置のもう１実施例のモジュールの模式図である。
【発明を実施するための形態】
【０００８】
以下、本発明の上述した目的、特徴、および、利点をより明らかにして分かりやすくするために、図面を参照して本発明の具体的な実施例を詳細に説明する。
【０００９】
図１は、本発明の１実施例のディスプレイパネルの上面図であり、図２は、図１におけるディスプレイパネルの発光方式の模式図である。
【００１０】
本発明の実施例は、真の全画面のディスプレイパネルおよび表示装置を対象とする。本発明の表示装置は、ディスプレイパネルであってもよいし、ディスプレイパネルを含むディスプレイデバイスまたはディスプレイ端末であってもよい。本発明のディスプレイパネルは、透明表示領域１０と非透明表示領域１１とを含む。前記透明表示領域は、両面発光表示領域であり、前記透明表示領域１０の正面は、環境光に近い一面であり、背面は、環境光から遠い一面である。図１および図２に示すように、ノッチディスプレイ（たとえばｉＰｈｏｎｅ（登録商標）  Ｘのディスプレイのように画面の上部に凹み部分があるディスプレイである）のディスプレイパネルと比較すると、本発明のディスプレイパネルは、スロット領域がなく、ディスプレイデバイスの感光素子、カメラなどの要素の上方にもディスプレイパネル（すなわち本発明の透明表示領域１０）が設けられている。透明表示領域１０によって、ディスプレイデバイスの感光素子および／またはカメラ上方の領域が非透明表示領域１１とともに通常の画面を表示するようにする。また、カメラが作動するときには、透明表示領域１０は、画面を表示せずに、通常に透光することによって、写真、ビデオなどの機能の実現を確保する。
【００１１】
本発明のディスプレイパネルによると、透明表示領域１０は両面発光表示であり、非透明表示領域１１は片面発光表示であるため、２つの領域の発光材料の減衰速度に差異が存在し、すなわちディスプレイパネルが一定時間作動した後、透明表示領域１０の発光輝度値は徐々に非透明表示領域１１の発光輝度値よりも低くなって、この２つの領域発光輝度の不一致をもたらすため、透明表示領域１０の発光輝度値を補正することによって、全画面の表示効果を確保する必要がある。
【００１２】
これに基づいて、本発明は、ディスプレイパネルの輝度補正方法を提供し、図３に示すように、前記輝度補正方法は、以下のステップを含む。
【００１３】
ステップＳ１１において、輝度補正起動命令に従って輝度補正プロセスを起動する。
【００１４】
上述した輝度補正起動命令は、輝度補正指示を受信したときに、起動またはトリガされて、輝度補正プロセスを起動する。前記輝度補正起動命令は、ユーザの要求に応じて生成されてもよいし、ディスプレイパネルによって自動的に起動されてもよい。
【００１５】
ステップＳ１２において、現在状態での前記透明表示領域の入力電圧の絶対値と前記透明表示領域の発光輝度値との関係を示す第１曲線を取得し、輝度補正のための入力電圧の絶対値と前記透明表示領域の発光輝度値との関係曲線として当該第１曲線を記録する。
【００１６】
ディスプレイパネルのピクセルドライブ回路中のドライブトランジスタのタイプが異なるため、入力電圧（すなわちＶｄａｔａ）の正と負も異なっており、たとえばドライブトランジスタがＰ型トランジスタであると、Ｖｄａｔａは負電圧であり、ドライブトランジスタがＮ型トランジスタであると、Ｖｄａｔａは正電圧である。
【００１７】
本実施例において、第１曲線は、ガンマ（ｇａｍｍａ）曲線であってもよいし、入力電圧−透明表示領域の発光輝度値のような２次元関係曲線であってもよい。図４中の初期曲線および第１曲線１、２、３のように、ディスプレイパネルは、異なる減衰状態での対応する第１曲線がいずれも異なっており、つまり、１つのディスプレイパネルのライフサイクルで、複数の第１曲線があり、図４では初期曲線およびそのうちの３つの第１曲線（すなわち第１曲線１、２、３）をのみ示した。ステップＳ１２が透明表示領域の輝度補正のための曲線を更新するプロセスである。
【００１８】
本実施例において、第１曲線を取得する方式は、ディスプレイパネルの下方の感光素子を利用してディスプレイパネルの発光輝度値を収集して第１曲線を生成すること、工場出荷のときにプリセットされた第１曲線のセットに基づいて、ディスプレイパネルの減衰状態に基づいて当該減衰状態に対応する第１曲線のセットの中の第１曲線を検索すること、または、ディスプレイパネルの作動時間長さに基づいて当該作動時間長さに対応する第１曲線のセットの中の第１曲線を検索することを含み得る。
【００１９】
具体的に説明すると、図４に示した第１曲線の変化状況を参考すると分かるように、透明表示領域の作動時間の増加につれて、当該領域発光材料に減衰が発生した後、同一の発光輝度値に必要なＶｄａｔａの絶対値が大きくなっている。本実施例において、現在状態での第１曲線中のＶｄａｔａ値を取得するためには、前の時点で使用した第１曲線に対応する発光輝度値に対応するＶｄａｔａの絶対値を非透明表示領域の発光輝度値と一致する電圧までに増加すればよい。ディスプレイパネルの工場出荷前に第１曲線を調節する過程でＶｄａｔａ値を取得する過程と比較すると、確な調節方向があり、調節過程が簡単で高速である。
【００２０】
ステップＳ１３において、透明表示領域の正面発光輝度値が非透明表示領域の発光輝度値と一致するようにするように、または、前記透明表示領域の正面発光輝度値が工場出荷設定輝度値に回復されるように、前記第１曲線に従って前記透明表示領域の入力電圧を調整する。
【００２１】
第１曲線に従って透明表示領域の入力電圧を調節することで、非透明表示領域と一致する発光輝度値を得ることができ、デバイス減衰程度の違いによる透明表示領域１０と非透明表示領域１１の輝度差異を低減または解消することによって、表示効果を向上させることができる。
【００２２】
透明表示領域の正面発光輝度値と非透明表示領域の発光輝度値とが一致することは、以下のような情況を含み、すなわち、透明表示領域の正面発光輝度値と非透明表示領域の発光輝度値との比率値の範囲が９０％〜１１０％であり、当該範囲内で、人間の目は透明領域の正面発光輝度値と非透明表示領域の発光輝度値との差異を認識することができなく、ユーザの知覚にはこのような情況での透明領域の正面発光輝度値と非透明表示領域の発光輝度値とが一致していることに注意する必要がある。
【００２３】
１実施例において、輝度補正指示は、手動的にトリガでき、図５は、本実施例の輝度補正起動命令を手動的にトリガするプロセスの模式図である。本実施例において、輝度補正起動命令に従って輝度補正プロセスを起動する前に（すなわちＳ１１の前）、ユーザが発した輝度補正指示を受信する。ユーザは、透明表示領域１０と非透明表示領域１１との間に明らかな輝度差異が存在することを知覚したときに、輝度補正指示をトリガすることができる。選択的に、アプリケーションプログラムまたはシステム命令によって、輝度補正指示をトリガするためのインターフェイスおよび対応するリンクが提供される。
【００２４】
しかしながら、ディスプレイパネル１を実際に使用するときに、ユーザの誤操作が存在する可能性があり、すなわちユーザが不注意で輝度補正指示のインターフェイスを開いて輝度補正指示を生成するリンクを誤って触る可能性があるため、輝度補正プロセスを起動する前に透明表示領域の発光輝度値を補正する必要があるか否かを判断する必要がある。
【００２５】
具体的に、本実施例において、ユーザが発した輝度補正指示を受信して輝度補正起動命令を生成するステップの後に、前記輝度補正方法は、現在状態での前記透明表示領域の発光輝度値が所定の輝度減衰要件を満たすか否かを判断し、所定の輝度減衰要件を満たすと、前記輝度補正起動命令に従って輝度補正プロセスを起動するステップをさらに含む。選択的に、透明表示領域の下方の感光素子を利用して現在の透明表示領域の実際の発光輝度値を検出して得、当該実際の発光輝度値と所定の輝度値とを比較し、当該実際の発光輝度値と所定の輝度値との差分値が所定の閾値を超えると、所定の輝度減衰要件を満たすとして判断し、前記輝度補正起動命令に従って輝度補正プロセスを起動し、当該実際の発光輝度値と所定の輝度値との差分値が所定の閾値を超えないと、所定の輝度減衰要件を満たさないとして判断し、輝度補正プロセスを起動する必要がないと判断する。
【００２６】
当該所定の輝度値は、予め記憶された特定の１つまたは複数のテスト用のＶｄａｔａ値に対応するディスプレイパネルの初期輝度値であり得る。具体的に、現在状態での透明表示領域に対して特定の１つまたは複数のテスト用のＶｄａｔａ値を入力し、これらＶｄａｔａ値に対応する現在発光輝度値を取得して、現在発光輝度値と所定の輝度値とを比較することができる。
【００２７】
透明表示領域の発光輝度値が所定の輝度減衰要件を満たすか否かを判断することによって輝度補正プロセスを起動する必要があるか否かを判断することができることに加えて、さらに、透明表示領域の作動時間長さが輝度補正時間長さ要件を満たすか否かを判断することができる。１実施例において、ユーザが発した輝度補正指示を受信して輝度補正起動命令を生成するステップの後に、前記輝度補正方法は、現在時間長さが所定の輝度補正サイクル内の輝度補正時間長さ要件を満たすか否かを判断し、輝度補正時間長さ要件を満たすと、前記輝度補正起動命令に従って輝度補正プロセスを起動するステップをさらに含む。現在時間長さは、ディスプレイパネルの累積作動時間長さ（ディスプレイパネル点灯の時間長さ）に基づいて確定してもよいし、ディスプレイパネルの工場出荷時間長さ（ディスプレイパネルが点灯しているかどうかに関係なく、工場出荷してから計算する）に基づいて確定してもよいし、ディスプレイパネルの工場出荷後の初めて点灯した時点から計算して、一定時間長さの後に輝度補正を始めてもよい。たとえば、輝度補正サイクルは、１００時間の累積作動時間長さ、または、二か月の工場出荷時間長さに設定することができる。輝度補正サイクルの時間は、ディスプレイパネルの平均の減衰サイクルに基づいて設定してもよいし、ユーザが設定してもよい、本実施例では、好ましくは、工場出荷する前に均一に設定する。本実施例では、具体的なサイクルに対して限定しない。
【００２８】
輝度減衰程度および輝度補正サイクルに対する判断は、同時に実行してもよいし、時分割で実行してもよい。輝度減衰程度および輝度補正サイクルの中の１つの輝度補正の要件を満たすときに、輝度補正プロセスを起動してもよいし、輝度減衰程度および輝度補正サイクルがいずれも輝度補正の要件を満たすときに、輝度補正プロセスを起動してもよい。具体的などのように判断するかは、メーカーのニーズに応じて選択することができる。本実施例において、好ましくは、輝度減衰程度を満たす輝度補正要件が一次標準であり、時間長さ要件が二次標準である。実際に操作するときに、まず、作動時間長さの判断を実行してから、輝度減衰程度の判断を実行することによって、ＣＰＵのリソースを節約することができる。
【００２９】
通常の場合、ディスプレイデバイスまたはディスプレイパネルの場合、工場出荷のときにガンマ曲線の調節回数が限られており、また、工場出荷のときに既に設定されており、その後には増加することができないため、輝度補正の要件を満たすか否かを判断することによって、ユーザの誤操作などによるガンマ曲線の調節回数の浪費を回避することができる。
【００３０】
もし、透明表示領域の輝度減衰程度および輝度補正サイクルがいずれも輝度補正の要件を満たさないと、一定時間内に出力電圧に乱れが存在するか否かをチェックする必要がある。電圧乱れ現像が存在すると、電圧を調整して電圧乱れ現像を解消し、電圧乱れ現像が存在しないと、ユーザが発した輝度補正指示が誤操作である可能性があり、すると、輝度補正を実行する必要がなく、ユーザに情報をフィードバックして、輝度補正を実行する必要がないことを説明することができる。電圧乱れにより、ディスプレイパネル輝度が不安定になったり、ちらついたり、断続的にディスプレイパネル輝度が低下される現像が出現したりする可能性がある。選択的に、このような場合、ソフトウェア設計で電圧を調節して、電圧を安定させることができる。
【００３１】
前記ユーザが発した輝度補正指示は、ユーザによって前記ディスプレイパネルの表示インターフェイス上の輝度補正マークを操作することによって、たとえばユーザによってタッチスクリーンのタッチインターフェイス上の輝度補正マークをクリックすることによって、発した輝度補正指示である。ユーザは、音声入力またはジェスチャー入力の方式によっても輝度補正指示を発することができる。ユーザは、たとえば指紋認識、虹彩認識または、顔認識などの生体認識の方式によっても輝度補正指示を発することができる。
【００３２】
他の実施例において、輝度補正プロセスは、自動的に起動されてもよく、たとえばディスプレイパネルの工場出荷前に輝度補正プロセスの自動的な起動の時間と条件を設定することができる。図６は、輝度補正起動命令を自動的にトリガするプロセスの模式図である。輝度補正起動命令に従って輝度補正プロセスを起動する前に、前記輝度補正方法は、現在状態での前記透明表示領域の発光輝度値が所定の輝度減衰要件を満たすか否かを判断し、所定の輝度減衰要件を満たすと、輝度補正起動命令を自動的に生成し、所定の輝度減衰要件を満たさないと、輝度補正起動命令を自動的に生成しないステップをさらに含む。
【００３３】
選択的に、前記輝度補正起動命令に従って輝度補正プロセスを起動する前に、前記輝度補正方法は、現在時間長さが所定の輝度補正サイクル内の輝度補正時間長さ要件を満たすか否かを判断し、輝度補正時間長さ要件を満たすと、輝度補正起動命令を自動的に生成するステップをさらに含む。類似的に、現在時間長さは、ディスプレイパネルの累積作動時間長さに基づいて確定してもよいし、ディスプレイパネルの工場出荷時間長さ（作動しているかに関係なく、工場出荷するときから計算するか、または、工場出荷後に初めて点灯するから計算する）に基づいて確定してもよい。たとえば、輝度補正サイクルは、１つの第１曲線を一定時間使用した後に、以上の２つの判断過程を実行し始め、たとえばディスプレイパネル累積作動時間長さが１００時間、２００時間、３００時間、５００時間に達した後に、以上の２つの判断過程を開始し、等々、本実施例において、輝度補正サイクルの具体的な設定情況に対して限定しない。
【００３４】
ユーザの要求に応じて輝度補正を開始する実施例と同様に、本実施例においては、輝度補正プロセスを自動的に起動するときに、透明表示領域の輝度減衰程度および輝度補正サイクルに対する判断は、同時に実行してもよいし、時分割で実行してもよい。輝度減衰程度および輝度補正サイクルの中の１つの輝度補正の要件を満たすときに、輝度補正起動命令を自動的に生成してもよいし、輝度減衰程度および輝度補正サイクルがいずれも輝度補正の要件を満たすときに、輝度補正起動命令を自動的に生成してもよい。具体的にどのように判断するかは、実際の情況によって選択することができる。
【００３５】
前述した実施例が発光輝度値の減衰程度に関するため、発光輝度値を収集する必要があり、環境光の影響を考慮することによって、減衰程度に対する判断の正確性を向上させることができる。
【００３６】
１実施例において、輝度補正起動命令を生成する前に、前記輝度補正方法は、環境光の強度を判断するステップと、環境光の強度が所定の閾値よりも低いと、輝度補正起動命令を生成するステップと、さらに含む。選択的に、所定の閾値は、夜間の環境光の強度を選択し、たとえば所定の閾値を、北京時間０１:００で、月明かりがなく、照明がない環境で収集した環境光の強度に設定する。
【００３７】
なお、輝度補正プロセスを自動的に起動する場合、輝度補正過程はユーザがディスプレイパネルを使用する時間とずらすことができ、つまり、ユーザがディスプレイパネルを使用しないときに透明表示領域の輝度補正を自動的に実行する。
【００３８】
１実施例において、輝度補正起動命令を生成する前に、前記輝度補正方法は、現在時点がユーザの空き時間であるか否かを判断し、現在時点がユーザの空き時間であると、輝度補正起動命令を自動的に生成するステップをさらに含む。選択的に、プロセッサまたはチップは、たとえばユーザの睡眠サイクルが２３:００〜翌日６:００であると、ユーザの使用習慣に基づいて、当該時間帯を空き時間として記録する。好ましくは、前記空き時間は、前記ディスプレイパネルのスリープ時間が所定の閾値を超えた後の時間帯、および／または、所定の固定時間帯であり、したがって、空き時間に輝度補正起動命令を自動的に生成するように確保し、ユーザの通常の使用に影響を与えることはない。
【００３９】
前記透明表示領域の入力電圧の絶対値と前記透明表示領域の発光輝度値との関係を示す第１曲線は、ソフトウェアまたはハードウェアの面の理由によって変化が発生される可能性がある。１実施例において、前記輝度補正起動命令に従って輝度補正プロセスを起動する前に、前記輝度補正方法は、現在状態での透明表示領域の現在入力電圧と発光輝度値との関係を示す第１曲線を補正する必要があるか否かを判断し、補正する必要があると、輝度補正プロセスを起動するステップをさらに含む。補正指示を手動的に生成する方式および補正起動命令を自動的な生成する方式のような２種の方式は、いずれも、透明表示領域の第１曲線を判断することができる。
【００４０】
１実施例において、現在状態での、透明表示領域の入力電圧の絶対値と透明表示領域の発光輝度値との関係を示す第１曲線を補正する必要があるか否かを判断するときに、具体的に、前記透明表示領域の高レベル、中レベル、および、低レベルの諧調の表示状態での各入力電圧に対応する参考輝度値を少なくとも取得し、判断の正確性を確保するために、さらに、透明表示領域のもっと多い諧調の表示状態での各入力電圧に対応する参考輝度値を得てもよいし、現在記録する入力電圧の絶対値と前記透明表示領域の発光輝度値との関係曲線に従って、前記各入力電圧に対応する参考輝度値の中に、前記関係曲線中の該当する入力電圧に対応する発光輝度値との差分値が所定の閾値を超える参考輝度値が、１つまたは複数あるか否かを判断し、１つまたは複数の前記差分値が所定の閾値を超えると、第１曲線を補正する必要がある。
【００４１】
ディスプレイパネルの構造を簡略化するために、輝度補正プロセスに必要な透明表示領域１０の発光輝度値は、前記透明表示領域１０の背面発光輝度値であり、元々透明表示領域１０の下方に設けられているカメラまたはその他の感光素子を利用して透明表示領域の背面発光輝度値を取得することができ、構造が簡単である同時に、コストを低下させることができる。もう１実施例において、透明表示領域１０の発光輝度値は、透明表示領域１０の正面発光輝度値であり、この場合、光学センサを個別に設置して正面発光輝度値を検出する。
【００４２】
これに応じて、前記第１曲線は、前記透明表示領域の入力電圧の絶対値と前記透明表示領域の背面発光輝度値との関係を示す曲線である。
【００４３】
具体的に、前記現在状態での前記透明表示領域の入力電圧の絶対値と前記透明表示領域の発光輝度値との関係を示す第１曲線を取得するステップは、前記透明表示領域のピクセルに対して異なる入力電圧を印加し、前記感光素子を利用して異なる入力電圧での透明表示領域の背面発光輝度値を取得して、前記第１曲線を得るステップを含む。
【００４４】
前記感光素子は、カメラであってもよいし、その他の感光性要素であってもよい。当該感光性要素は、撮影した後に画像処理を実行して発光輝度値データを得るカメラとは異なり、輝度データを直接取得することができる。１実施例において、前記感光素子を利用して異なる入力電圧での透明表示領域の背面発光の輝度値を取得するステップは、前記感光素子を利用して点灯後の透明表示領域の背面を撮影して、前記透明表示領域の背面の輝度画像を得るステップと、前記輝度画像に対してコントラスト分析などの分析を実行して、異なる入力電圧での透明表示領域の背面発光輝度値を取得するステップと、を含む。
【００４５】
以下、第１曲線を取得するもう１方式を説明する。１実施例において、前記現在状態での前記透明表示領域の入力電圧の絶対値と前記透明表示領域の発光輝度値との関係を示す第１曲線を取得するステップは、前記ディスプレイパネルの現在の作動時間長さ、および／または、前記ディスプレイパネルの現在の輝度減衰状態を取得するステップと、予め記憶された第１曲線のセットの中から、前記ディスプレイパネルの現在の作動時間長さ、および／または、輝度減衰状態に対応する第１曲線を検索するステップと、を含み、ここで、前記第１曲線のセットは、前記ディスプレイパネルの作動時間長さに対応する、異なる減衰状態での、入力電圧の絶対値と前記透明表示領域の発光輝度値との関係を示す第１曲線のセットである。前記作動時間長さは、工場出荷後、ディスプレイパネルが通常に表示された時間長さであってもよく、すなわちディスプレイスクリーンの点灯状態の時間長さである。
【００４６】
前記第１曲線のセットは、ディスプレイパネルの駆動チップに予め記憶されてもよい。１実施例において、前記第１曲線のセットは、前記ディスプレイパネルが工場出荷される前に、前記透明表示領域の発光材料の減衰サイクルと減衰状態に基づいて得られたものである。
【００４７】
たとえば、特定のバッチのディスプレイパネルの中から一定数量のディスプレイパネルを抽出し、実験によって入力電圧の絶対値と前記透明表示領域の発光輝度値との関係を示す第１曲線を測算する同時に、輝度の減衰値をキーとして検索することができる。各ディスプレイパネルはそれぞれ１つの第１曲線に対応され、したがって第１曲線のセットを高速に得ることができる。抽出する方式は、ランダムサンプリングであり得、得られた第１曲線のセットがより完全で全面的になるようにする。
【００４８】
透明表示領域全体の発光輝度値を直接補正することに加えて、さらに、透明表示領域の各サブピクセルの発光輝度値を個別的に補正することができる。前記透明表示領域のピクセルは、ｎ種類の色のサブピクセルを含み、ｎは、正の整数である。前記第１曲線のセットは、ｎ種類の色のサブピクセルのそれぞれに対応する第１曲線サブセットを含み、つまり、前記第１曲線のセットは、ｎ種類の色のサブピクセルのそれぞれに対応する第１曲線サブセットを含み、サブピクセルに対して輝度補正を実行するときに、対応する第１曲線サブセットの中から当該サブピクセルに対応する第１曲線をそれぞれ検索する。
【００４９】
現在状態での前記透明表示領域の入力電圧の絶対値と前記透明表示領域の発光輝度値との関係を示す第１曲線を取得するステップは、前記透明表示領域のｎ種類の色のサブピクセルに対して入力電圧を同時に印加して、白色画面に対応する各色のサブピクセルのそれぞれの第１曲線を得るステップを含み、ここで、ｎは、正の整数である。つまり、各種類の色のサブピクセルの第１曲線をそれぞれ取得することによって、各種類の色のサブピクセルの発光輝度値をそれぞれ調節する。
【００５０】
または、現在状態での前記透明表示領域の入力電圧の絶対値と前記透明表示領域の発光輝度値との関係を示す第１曲線を取得するステップは、前記透明表示領域の第ｎ種類の色のサブピクセルに対して入力電圧を印加して、前記透明表示領域が第ｎ種類の色の画面を表示するようにするステップと、第ｎ種類の色の画面で前記第ｎ種類の色のサブピクセルに対応する第１曲線を得るステップと、ｎ種類の色のサブピクセルに対応する第１曲線をすべて得るまで、当該過程を繰り返すステップと、を含む。つまり、各種類の色のサブピクセルの第１曲線をそれぞれ取得するため、得られた第１曲線がいっそう精確になり、各種類の色のサブピクセルの発光輝度値に対してそれぞれ同時に補正を実行するため、輝度補正後の透明表示領域の表示効果もいっそう優れている。
【００５１】
選択的に、ｎ=３であり、前記透明表示領域のピクセルは、第１色のサブピクセル、第２色のサブピクセル、および、第３色のサブピクセルを含み、前記第１色のサブピクセル、前記第２色のサブピクセル、および、前記第３色のサブピクセルは、それぞれ、Ｒサブピクセル、Ｇサブピクセル、および、Ｂサブピクセルである。または、ｎ=４であり、透明表示領域のピクセルは、Ｒサブピクセル、Ｇサブピクセル、Ｂサブピクセル、および、Ｙサブピクセルを含む。本実施例において、透明表示領域の同一のピクセルユニット中の異なる色のサブピクセルの種類および数に対して限定しない。
【００５２】
上記のように、透明表示領域１０の背面発光輝度値を取得すると、構造およびコストに利点があるので、１実施例において、予め記憶された透明表示領域の正面発光輝度値と背面発光輝度値との比率値、および、前記現在状態での前記非透明表示領域の発光輝度値に基づいて、前記透明表示領域の第１背面発光輝度値を得ることができる。同一の透明表示領域の場合、異なる入力電圧での前記正面発光輝度値と背面発光輝度値との比率値が一意であり、前記第１曲線に従って前記第１背面発光輝度値に対応する第１入力電圧を確定し、前記透明表示領域の正面発光輝度値が非透明表示領域の発光輝度値と一致するようにするように、または、前記透明表示領域の正面発光輝度値が工場出荷設定輝度値に回復されるように、前記透明表示領域のデータ線に対して前記第１入力電圧を提供する。このようにして、透明表示領域と非透明表示領域との間の発光輝度の差異を低減または解消することができ、表示効果を向上させることができる。
【００５３】
透明表示領域の各膜層が決まっているため、デバイスの減衰の正面発光輝度値和背面発光輝度値に対する影響も対応されるため、透明表示領域の正面発光輝度値と背面発光輝度値との比率値は常に一意である。
【００５４】
もう１実施例において、本発明は、もう１種のディスプレイパネルの輝度補正方法をさらに提供する。上記の実施例との違いは、本実施例においては、輝度補正プロセスを起動した後に取得するのは、第１曲線ではなく、現在発光輝度の減衰状態であり、また、透明表示領域の発光材料の異なる作動時間長さの後の減衰情況に基づいて、いくつかの減衰状態で初期表示輝度に達するために必要なＶｄａｔａ値（または、ガンマ曲線であってもよく、本実施例において、Ｖｄａｔａ値の例をのみあげて説明する）を取得することである。ディスプレイパネルの工場出荷前に、システムにはいくつかの減衰状態で初期表示輝度に達するために必要なＶｄａｔａ値が予め格納されている。したがって、透明表示領域の作動時間長さまたは減衰状態に基づいて、予め記憶されたＶｄａｔａ値を直接呼び出して、該当するＶｄａｔａ値を透明表示領域に入力するだけで済む。本実施例の方式は、補正過程でのＣＰＵの計算圧力を低減させた。
【００５５】
図７に示すように、本発明は、ディスプレイパネルの輝度補正方法をさらに提供し、ディスプレイパネルは、図１および図２にしめしたディスプレイパネル１であり得る。前記輝度補正方法は、以下のステップを含む。
【００５６】
Ｓ２１において、輝度補正起動命令に従って輝度補正プロセスを起動する。
【００５７】
前述した実施例と同様に、輝度補正起動命令は、手動でトリガしてもよいし、自動的にトリガしてもよく、具体的なトリガ方式は、前述した実施例を参照すればよく、ここでは繰り返して詳細に説明しない。
【００５８】
Ｓ２２において、前記ディスプレイパネルの現在の作動時間長さおよび／または前記ディスプレイパネルの現在の輝度減衰状態を取得する。
【００５９】
作動時間長さおよび現在の輝度減衰状態の場合、その中の１つを選択して取得してもよいし、すべて取得してもよい。
【００６０】
Ｓ２３において、予め記憶された第１データ関係のセットの中から、前記ディスプレイパネルの現在の作動時間長さに対応する第１データ関係を検索し、および／または、予め記憶された第２データ関係のセットの中から、前記ディスプレイパネルの現在の輝度減衰状態に対応する第２データ関係を検索し、輝度補正のための入力電圧の絶対値と前記透明表示領域の発光輝度値との対応関係として、現在状態での第１データ関係および／または第２データ関係を記録し、ここで、前記第１データ関係のセットは、予め記憶された、前記ディスプレイパネルの異なる作動時間長さの範囲内の、入力電圧の絶対値と前記透明表示領域の発光輝度値との対応関係のセットであり、前記第２データ関係のセットは、予め記憶された、前記ディスプレイパネルの異なる減衰状態の範囲内の、入力電圧の絶対値と前記透明表示領域の発光輝度値との対応関係のセットである。
【００６１】
第１データ関係のセット、および、第２データ関係のセットは、第１曲線上の複数の離散点に相当し、各点は、１つの第１データ関係および／または第２データ関係に対応する。
【００６２】
Ｓ２４において、透明表示領域の正面発光輝度値が非透明表示領域の発光輝度値と一致するようにするように、または、前記透明表示領域の正面発光輝度値が工場出荷設定輝度値に回復されるように、前記第１データ関係および／または第２データ関係に基づいて前記透明表示領域の入力電圧を調整する。
【００６３】
このようにして、透明表示領域１０と非透明表示領域１１との間のデバイス減衰程度の違いによる輝度差異を低減または解消することができ、表示効果を向上させることができる。第１データ関係のセットおよび第２データ関係のセットの中のデータ関係の密度が高いほど、輝度補正がいっそう正確であることを理解できる。
【００６４】
前述した実施例の第１曲線と同様に、前記ディスプレイパネルが工場出荷される前に、前記透明表示領域の発光材料の減衰サイクルと減衰状態に基づいて、前記第１データ関係のセットおよび前記第２データ関係のセットを得ることができる。選択的に、同一のバッチの複数のディスプレイパネルの減衰サイクルと減衰状態を取得し、減衰サイクルの例を上げると、減衰サイクル内のディスプレイパネルの輝度減衰値、当該輝度減衰値に対応する入力電圧および減衰時間長さを記録することによって、第１データ関係のセットの中の複数の第１データ関係を得る。
【００６５】
補正の正確性をいっそう向上させるために、１実施例において、前記第１データ関係のセットおよび前記第２データ関係のセットの中には、前記透明表示領域の高レベル、中レベル、低レベルの諧調の表示状態での各入力電圧の絶対値と対応する発光輝度値との対応関係少なくとも含まれている。選択的に、複数の諧調の表示状態での入力電圧の絶対値と対応する発光輝度値との対応関係を取得することによって、輝度補正の正確性を向上させることができる。
【００６６】
前述した実施例と同様に、前記透明表示領域のピクセルは、ｎ種類の色のサブピクセルを含み、ｎは、正の整数であり、前記第１データ関係のセットおよび前記第２データ関係のセットの中には、各種類の色の表示画面での各色のサブピクセルに対応する各入力電圧の絶対値と発光輝度値との対応関係が含まれている。
【００６７】
１実施例において、ｎ=３であり、前記透明表示領域のピクセルは、第１色のサブピクセル、第２色のサブピクセル、および、第３色のサブピクセルを含み、前記第１色のサブピクセル、前記第２色のサブピクセル、および、前記第３色のサブピクセルは、それぞれ、Ｒサブピクセル、Ｇサブピクセル、および、Ｂサブピクセルであるが、これに限定されない。１実施例において、ｎ=４であり、たとえば、Ｒサブピクセル、Ｇサブピクセル、および、Ｂサブピクセルを基に、Ｙサブピクセルを増加した。
【００６８】
前記第１データ関係のセットは、ｎ種類の色にそれぞれ対応する第１データ関係を含むことができる。前記予め記憶された第１データ関係のセットの中から、前記ディスプレイパネルの現在の作動時間長さに対応する第１データ関係を検索するステップは、予め記憶された第１データ関係のセットの中から、前記ディスプレイパネルの現在の作動時間長さに対応する、第ｎ種類の色のサブピクセルに対応する第１データ関係をそれぞれ検索するステップを含む。
【００６９】
前記予め記憶された第２データ関係のセットの中から、前記ディスプレイパネルの現在の輝度減衰状態に対応する第２データ関係を検索するステップは、予め記憶された第２データ関係のセットの中から、前記ディスプレイパネルの現在の輝度減衰状態に対応する、第ｎ種類の色のサブピクセルに対応する第２データ関係をそれぞれ検索するステップを含む。
【００７０】
たとえば、現在の作動時間長さを検索語して検索する。第１データ関係のセットが離散点のデータ関係のセットであるため、さらに、現在の作動時間長さに近い値で検索することで、第１データ関係を高速に得ることができる。第２データ関係のセットの中の検索の場合、第１データ関係のセットの中の検索と類似しており、違いは、透明表示領域の減衰状態で検索することである。
【００７１】
ｎ種類の色のピクセルの輝度をそれぞれ補正するため、輝度全体を補正することと比較すると、透明表示領域の輝度補正後の発光輝度値がいっそう精確であり（または、非透明表示領域の実際の輝度にいっそう近い）、透明表示領域１０と非透明表示領域１１の輝度差異をいっそう低減することができる。
【００７２】
これに加えて、本発明は、ディスプレイパネルの輝度補正装置をさらに提供し、図８は、本発明のディスプレイパネルの輝度補正装置の１実施例のモジュールの模式図であり、前記ディスプレイパネルは、図１および図２に示したディスプレイパネル１であり得る。
【００７３】
前記ディスプレイパネルの輝度補正装置は、起動モジュール２１と、第１曲線取得モジュール２２と、第１記憶モジュール２３と、更新モジュール２４と、補正モジュール２５と、を備え、ここで、起動モジュール２１は、輝度補正起動命令に従って輝度補正プロセスを起動し、第１曲線取得モジュール２２は、現在状態での、透明表示領域１０の入力電圧の絶対値と前記透明表示領域の発光輝度値との関係を示す第１曲線を取得し、第１記憶モジュール２３は、前記第１曲線を記憶し、更新モジュール２４は、輝度補正のための入力電圧の絶対値と前記透明表示領域の発光輝度値との関係曲線として当該第１曲線を記録し、補正モジュール２５は、透明表示領域１０の正面発光輝度値と非透明表示領域１１の発光輝度値とが一致するようにするように、または、前記透明表示領域の正面発光輝度値が工場出荷設定輝度値に回復されるように、前記第１曲線に従って前記透明表示領域１０の入力電圧を調整する。
【００７４】
輝度補正装置は、ディスプレイパネルに対して輝度補正を実行して、透明表示領域１０と非透明表示領域１１の輝度差異を低減または解消することができ、表示効果を向上させることができる。
【００７５】
１実施例において、図９に示すように、前記ディスプレイパネルの輝度補正装置は、受信モジュール２０１と、起動命令生成モジュール２０２と、をさらに備え、受信モジュールは、ユーザが発した輝度補正指示を受信し、起動命令生成モジュールは、輝度補正起動命令を生成する。
【００７６】
前述した方法の実施例での、所定の輝度減衰要件を満たすか否か、輝度補正時間長さ要件を満たすか否か、環境光の強度要件を満たすか否か、空き時間であるか否か、補正する必要があるか否かをなどの判断結果を得るために、１実施例において、図１０に示すように、前記ディスプレイパネルの輝度補正装置は、第１判断モジュール２１１と、第２判断モジュール２１２と、第３判断モジュール２１３と、第４判断モジュール２１４と、第５判断モジュール２１５と、をさらに備える。第１判断モジュール２１１は、現在状態での、前記透明表示領域１０の輝度が所定の輝度減衰要件を満たすか否かを判断し、第２判断モジュール２１２は、現在時点が所定の輝度補正サイクル内の輝度補正時間要件を満たすか否かを判断し、第３判断モジュール２１３は、環境光の強度を判断し、第４判断モジュール２１４は、現在時点がユーザの空き時間であるか否かを判断し、前記空き時間は、前記ディスプレイパネルのスリープ時間が所定の閾値を超えた後の時間帯、および／または、所定の固定時間帯であり、第５判断モジュール２１５は、現在状態での透明表示領域の現在入力電圧と発光輝度値との関係を示す第１曲線を補正する必要があるか否かを判断する。
【００７７】
１実施例において、図１１に示すように、前記ディスプレイパネルの輝度補正装置は、画像分析モジュール２２０１と、第２記憶モジュール２２０２と、第３記憶モジュール２２０３と、をさらに備え、画像分析モジュール２２０１は、前記透明表示領域の背面の輝度画像を分析して、異なる入力電圧での透明表示領域の背面発光の輝度値を取得し、第２記憶モジュール２２０２は、透明表示領域の正面発光輝度値と背面発光輝度値との比率値を記憶し、ここで、同一の透明表示領域の場合、異なる入力電圧での前記正面発光輝度値と背面発光輝度値との比率値が一意であり、第３記憶モジュール２２０３は、第１曲線のセットを記憶し、前記第１曲線のセットは、前記ディスプレイパネルの異なる減衰状態での、透明表示領域入力電圧の絶対値と前記透明表示領域の発光輝度値との関係を示す第１曲線のセットであり、または、前記第１曲線のセットは、前記ディスプレイパネルの作動時間長さに対応する、異なる減衰状態での、透明表示領域入力電圧の絶対値と前記透明表示領域の発光輝度値との関係を示す第１曲線のセットである。
【００７８】
本実施例のディスプレイパネルの輝度補正装置は、図３に示したディスプレイパネルの輝度補正方法を実現し、具体的に補正を実現する過程は、前述して記載を参考すればよい。輝度補正装置を利用してディスプレイパネルに対して輝度補正を実行することによって、透明表示領域１０と非透明表示領域１１の輝度差異を低減または解消することができ、表示効果を向上させることができる。
【００７９】
本発明は、ディスプレイパネルの輝度補正装置をさらに提供し、図１２は、本発明によって提供されるディスプレイパネルの輝度補正装置のもう１実施例のモジュールの模式図であり、前記ディスプレイパネルは、図１および図２に示すディスプレイパネル１であり得る。前記輝度補正装置は、起動モジュール５１と、時間取得モジュール５２と、減衰状態取得モジュール５３と、記憶モジュール５４と、第１検索モジュール５５と、第２検索モジュール５６と、更新モジュール５７と、補正モジュール５８と、を備える。前記起動モジュール５１は、輝度補正起動命令に従って輝度補正プロセスを起動し、時間取得モジュール５２は、前記ディスプレイパネルの現在の作動時間長さを取得し、減衰状態取得モジュール５３は、前記ディスプレイパネルの現在の輝度減衰状態を取得し、記憶モジュール５４は、第１データ関係のセットおよび第２データ関係のセットを記憶し、ここで、前記第１データ関係のセットは、予め記憶された、前記ディスプレイパネルの異なる作動時間長さの範囲内の、入力電圧の絶対値と前記透明表示領域の発光輝度値との対応関係のセットであり、前記第２データ関係のセットは、予め記憶された、前記ディスプレイパネルの異なる減衰状態の範囲内の、入力電圧の絶対値と前記透明表示領域の発光輝度値との対応関係のセットであり、第１検索モジュール５５は、予め記憶された第１データ関係のセットの中から、前記ディスプレイパネルの現在の作動時間長さに対応する第１データ関係を検索し、第２検索モジュール５６は、予め記憶された第２データ関係のセットの中から、前記ディスプレイパネルの現在の輝度減衰状態に対応する第２データ関係を検索し、更新モジュール５７は、輝度補正のための入力電圧の絶対値と前記透明表示領域の発光輝度値との対応関係として、現在状態での第１データ関係および／または第２データ関係を記録し、補正モジュール５８は、透明表示領域の正面発光輝度値が非透明表示領域の発光輝度値と一致するようにするように、または、前記透明表示領域の正面発光輝度値が工場出荷設定輝度値に回復されるように、前記第１データ関係および／または第２データ関係に基づいて、前記透明表示領域の入力電圧を調整する。
【００８０】
本実施例のディスプレイパネルの輝度補正装置は、図７に示したディスプレイパネルの輝度補正方法を実行し、具体的な実現過程は、前述した記載を参考すればよい。輝度補正装置を利用してディスプレイパネルに対して輝度補正を実行することによって、透明表示領域１０と非透明表示領域１１の輝度差異を低減または解消することができ、表示効果を向上させることができる。
【００８１】
なお、本発明は、表示装置をさらに提供し、当該表示装置は、ディスプレイパネルと、感光素子１２と、ディスプレイパネルの輝度補正装置と、を備え、前記ディスプレイパネルは、上記のディスプレイパネル１であり得、前記感光素子は、前記透明表示領域１０の背面（または下方）に設けられ、前記感光素子１２は、カメラ、感光性要素などであり得、その数は、１つであってもよいし、複数であってもよい。前記輝度補正装置は、図８に示したディスプレイパネルの輝度補正装置である。
【００８２】
輝度補正装置を利用してディスプレイパネルに対して輝度補正を実行し、特に透明表示領域に対して輝度補正を実行することによって、感光素子が十分の量の光を受け取ることができるように保証することを前提として、透明表示領域１０と非透明表示領域１１の輝度差異を低減または解消することができ、表示効果を向上させることができる。
【００８３】
本発明は、表示装置をさらに提供し、当該表示装置は、ディスプレイパネルと、ディスプレイパネルの輝度補正装置と、を備え、前記ディスプレイパネルは、上記のディスプレイパネル１であり得、前記感光素子は、前記透明表示領域１０の背面（または下方）に設けられ、前記感光素子１２は、カメラ、感光性要素などであり得、その数は、１つであってもよいし、複数であってもよい。前記輝度補正装置は、図１２に示したディスプレイパネルの輝度補正装置である。
【００８４】
輝度補正装置を利用してディスプレイパネルに対して輝度補正を実行し、特に透明表示領域に対して輝度補正を実行することによって、感光素子が十分の量の光を受け取ることができるように保証することを前提として、透明表示領域１０と非透明表示領域１１の輝度差異を低減または解消することができ、表示効果を向上させることができる。
【００８５】
本発明は上記のように開示されるが、本発明はこれに限定されない。当業者であれば、本発明の精神および範囲から逸脱することなく、様々な変更と修正を行うことができる。当業者は、本発明で効果を実現するために、様々な個別的な実施形態を組み合わせて実施でき、また様々な組み合わせた実施形態は個別的に実施でき、したがって、本発明の保護範囲は、特許請求の範囲によって定義される範囲に従うものとする。
【図１】
2021533418.tif 000003
【図２】
2021533418.tif 000004
【図３】
2021533418.tif 000005
【図４】
2021533418.tif 000006
【図５】
2021533418.tif 000007
【図６】
2021533418.tif 000008
【図７】
2021533418.tif 000009
【図８】
2021533418.tif 000010
【図９】
2021533418.tif 000011
【図１０】
2021533418.tif 000012
【図１１】
2021533418.tif 000013
【図１２】
2021533418.tif 000014
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
ディスプレイパネルの輝度補正方法であって、
前記ディスプレイパネルは、
透明表示領域と、
非透明表示領域と、を含み、
ここで、前記透明表示領域は、両面発光表示領域であり、前記透明表示領域の正面は、環境光から近い側の面であり、背面は、前記環境光から遠い側の面であり、
前記輝度補正方法は、
輝度補正起動命令に従って輝度補正プロセスを起動するステップと、
現在状態での前記透明表示領域の入力電圧の絶対値と前記透明表示領域の発光輝度値との関係を示す第１曲線を取得するステップと、
輝度補正のための入力電圧の絶対値と前記透明表示領域の発光輝度値との関係曲線として前記第１曲線を記録するステップと、
前記透明表示領域の正面発光輝度値が前記非透明表示領域の発光輝度値と一致するように、または、前記透明表示領域の正面発光輝度値が工場出荷設定輝度値に戻るように、前記第１曲線に従って前記透明表示領域の入力電圧を調整するステップと、を含む
ことを特徴とするディスプレイパネルの輝度補正方法。
【請求項２】
前記第１曲線は、前記透明表示領域の前記現在状態でのガンマ曲線である
ことを特徴とする請求項１に記載のディスプレイパネルの輝度補正方法。
【請求項３】
前記輝度補正起動命令に従って輝度補正プロセスを起動するステップの前に、
ユーザが発した輝度補正指示を受信して前記輝度補正起動命令を生成するステップをさらに含み、
ユーザが発した輝度補正指示を受信して輝度補正起動命令を生成するステップの後に、
前記現在状態で前記透明表示領域の発光輝度値が所定の輝度減衰要件を満たすか否かを判断するステップと、
前記現在状態で透明表示領域の発光輝度値が前記所定の輝度減衰要件を満たす場合、前記輝度補正起動命令に従って輝度補正プロセスを起動するステップと、をさらに含み、
ユーザが発した輝度補正指示を受信して輝度補正起動命令を生成するステップの後に、
現在時間長さが所定の輝度補正サイクル内の輝度補正時間長さ要件を満たすか否かを判断するステップと、
前記現在時間長さが前記輝度補正時間長さ要件を満たす場合、前記輝度補正起動命令に従って輝度補正プロセスを起動するステップと、をさらに含む
ことを特徴とする請求項１または２に記載のディスプレイパネルの輝度補正方法。
【請求項４】
前記輝度補正起動命令に従って輝度補正プロセスを起動するステップの前に、
前記現在状態で前記透明表示領域の発光輝度値が所定の輝度減衰要件を満たすか否かを判断するステップと、
前記現在状態で透明表示領域の発光輝度値が前記所定の輝度減衰要件を満たす場合、前記輝度補正起動命令を生成するステップと、をさらに含み、
前記輝度補正起動命令に従って輝度補正プロセスを起動するステップの前に、
現在時間長さが所定の輝度補正サイクル内の輝度補正時間長さ要件を満たすか否かを判断するステップと、
前記現在時間長さが前記輝度補正時間長さ要件を満たす場合、前記輝度補正起動命令を生成するステップと、をさらに含む
ことを特徴とする請求項１または２に記載のディスプレイパネルの輝度補正方法。
【請求項５】
環境光の強度を判断するステップと、
前記環境光の強度が所定の閾値よりも低い場合、前記輝度補正起動命令を生成するステップと、をさらに含み、
輝度補正起動命令を生成する前に、
現在時点がユーザの空き時間であるか否かを判断するステップと、
前記現在時点が前記ユーザの空き時間である場合、前記輝度補正起動命令を生成するステップと、をさらに含み、
ここで、前記空き時間は、前記ディスプレイパネルのスリープ時間が所定の閾値を超えた後の時間帯、および／または、所定の固定時間帯である
ことを特徴とする請求項１に記載のディスプレイパネルの輝度補正方法。
【請求項６】
前記輝度補正起動命令に従って輝度補正プロセスを起動するステップの前に、
前記現在状態で、前記透明表示領域の現在入力電圧と前記透明表示領域の発光輝度値との関係を示す第１曲線を補正する必要があるか否かを判断するステップと、
前記第１曲線を補正する必要がある場合、輝度補正プロセスを起動するステップと、をさらに含み、
前記現在状態で、前記透明表示領域の現在入力電圧と前記発光輝度値との関係を示す第１曲線を補正する必要があるか否かを判断するステップは、
少なくとも前記透明表示領域の高レベル、中レベル、および、低レベルの階調の表示状態での、各入力電圧に対応する参考輝度値を取得するステップと、
現在記録された入力電圧の絶対値と前記透明表示領域の発光輝度値との関係曲線に従って、前記各入力電圧に対応する参考輝度値の中に、前記関係曲線中の該当する入力電圧に対応する発光輝度値との差分値が所定の閾値を超える参考輝度値が、１つ以上あるか否かを判断するステップと、を含み、
前記差分値が所定の閾値を超えた場合、前記第１曲線を補正する必要がある
ことを特徴とする請求項１に記載のディスプレイパネルの輝度補正方法。
【請求項７】
前記透明表示領域の発光輝度値は、前記透明表示領域の背面発光輝度値、または、前記透明表示領域の正面発光輝度値であり、
前記透明表示領域の下方には、感光素子が設けられており、
前記第１曲線は、前記透明表示領域の入力電圧の絶対値と前記透明表示領域の背面発光輝度値との関係を示し、
現在状態での前記透明表示領域の入力電圧の絶対値と前記透明表示領域の発光輝度値との関係を示す第１曲線を取得するステップは、
前記透明表示領域のピクセルに対して異なる入力電圧を印加し、前記感光素子を利用して異なる入力電圧での前記透明表示領域の背面発光輝度値を取得して、前記第１曲線を得るステップを含み、
前記感光素子を利用して異なる入力電圧での前記透明表示領域の背面発光輝度値を取得するステップは、
前記感光素子を利用して点灯後の前記透明表示領域の背面を撮影して、前記透明表示領域の背面の輝度画像を得るステップと、
前記輝度画像を分析して異なる入力電圧での前記透明表示領域の背面発光輝度値を取得するステップと、を含む
ことを特徴とする請求項１に記載のディスプレイパネルの輝度補正方法。
【請求項８】
前記第１曲線に従って前記透明表示領域の入力電圧を調整するステップは、
予め記憶された前記透明表示領域の正面発光輝度値と背面発光輝度値との比率値および前記現在状態での前記非透明表示領域の発光輝度値に基づいて、非透明表示領域の発光輝度値と一致するときの透明表示領域の第１背面発光輝度値、または、前記透明表示領域の正面の工場出荷設定輝度値に対応する第１背面発光輝度値を得るステップであって、ここで、同一の透明表示領域の場合、異なる入力電圧での前記正面発光輝度値と背面発光輝度値との比率値は一意に定まる、ステップと、
前記第１曲線に従って前記第１背面発光輝度値に対応する第１入力電圧を確定するステップと、
前記透明表示領域の正面発光輝度値が非透明表示領域の発光輝度値と一致するように、または、前記透明表示領域の正面発光輝度値が工場出荷設定輝度値に戻るように、前記透明表示領域のデータ線に対して前記第１入力電圧を提供するステップと、を含む
ことを特徴とする請求項７に記載のディスプレイパネルの輝度補正方法。
【請求項９】
前記透明表示領域のピクセルは、ｎ種類の色のサブピクセルを含み、ｎは、正の整数であり、
現在状態での前記透明表示領域の入力電圧の絶対値と前記透明表示領域の発光輝度値との関係を示す第１曲線を取得するステップは、
前記透明表示領域のｎ種類の色のサブピクセルに対して入力電圧を同時に印加して、白色画面で対応する各色のサブピクセルのそれぞれの第１曲線を得るステップを含み、
または、前記現在状態での前記透明表示領域の入力電圧の絶対値と前記透明表示領域の発光輝度値との関係を示す第１曲線を取得するステップは、
前記透明表示領域の第ｎ種類の色のサブピクセルに対してそれぞれ入力電圧を印加して、前記透明表示領域が第ｎ種類の色の画面を表示するようにするステップと、
ｎ種類の色のサブピクセルに対応する第１曲線をすべて得るまで、第ｎ種類の色の画面で前記第ｎ種類の色のサブピクセルに対応する第１曲線を得る過程を繰り返すステップと、を含み、
ｎ=３であり、前記透明表示領域のピクセルは、第１色のサブピクセル、第２色のサブピクセル、および、第３色のサブピクセルを含み、前記第１色のサブピクセル、前記第２色のサブピクセル、前記第３色のサブピクセルは、それぞれ、Ｒサブピクセル、Ｇサブピクセル、Ｂサブピクセルである
ことを特徴とする請求項１に記載のディスプレイパネルの輝度補正方法。
【請求項１０】
現在状態での前記透明表示領域の入力電圧の絶対値と前記透明表示領域の発光輝度との関係を示す第１曲線を取得するステップは、
前記ディスプレイパネルの現在の減衰状態を取得するステップと、
予め記憶された第１曲線のセットの中から、前記ディスプレイパネルの現在の減衰状態に対応する第１曲線を検索するステップであって、ここで、前記第１曲線のセットは、前記ディスプレイパネルの異なる減衰状態での、前記透明表示領域の入力電圧の絶対値と前記透明表示領域の発光輝度値との関係を示す第１曲線のセットである、ステップと、を含み、
または、
前記ディスプレイパネルの現在の作動時間長さを取得するステップと、
予め記憶された第１曲線のセットの中から、前記ディスプレイパネルの現在の作動時間長さに対応する第１曲線を検索するステップであって、ここで、前記第１曲線のセットは、前記ディスプレイパネルの作動時間長さに対応する、異なる減衰状態での、前記透明表示領域の入力電圧の絶対値と前記透明表示領域の発光輝度値との関係を示す第１曲線のセットである、ステップと、を含み、
前記ディスプレイパネルが工場出荷される前に、前記透明表示領域の発光材料の減衰サイクルと減衰状態に基づいて前記第１曲線のセットを取得するステップをさらに含み、
ここで、前記透明表示領域のピクセルは、ｎ種類の色のサブピクセルを含み、ｎは、正の整数であり、前記第１曲線のセットは、ｎ種類の色のサブピクセルのそれぞれに対応する第１曲線のサブセットを含む
ことを特徴とする請求項１に記載のディスプレイパネルの輝度補正方法。
【請求項１１】
ディスプレイパネルの輝度補正方法であって、
前記ディスプレイパネルは、
透明表示領域と、
非透明表示領域と、を含み、
ここで、前記透明表示領域は、両面発光表示領域であり、前記透明表示領域の正面は、環境光から近い側の面であり、背面は、前記環境光から遠い側の面であり、
前記輝度補正方法は、
輝度補正起動命令に従って輝度補正プロセスを起動するステップと、
前記ディスプレイパネルの現在の作動時間長さ、および／または、前記ディスプレイパネルの現在の輝度減衰状態を取得するステップと、
予め記憶された第１データ関係のセットの中から、前記ディスプレイパネルの現在の作動時間長さに対応する第１データ関係を検索し、および／または、予め記憶された第２データ関係のセットの中から、前記ディスプレイパネルの現在の輝度減衰状態に対応する第２データ関係を検索するステップと、
輝度補正のための入力電圧の絶対値と前記透明表示領域の発光輝度値との対応関係として前記第１データ関係および／または前記第２データ関係を記録するステップであって、ここで、前記第１データ関係のセットは、予め記憶された、前記ディスプレイパネルの異なる作動時間長さの範囲内の、入力電圧の絶対値と前記透明表示領域の発光輝度値との対応関係のセットであり、前記第２データ関係のセットは、予め記憶された、前記ディスプレイパネルの異なる減衰状態の範囲内の、入力電圧の絶対値と前記透明表示領域の発光輝度値との対応関係のセットである、ステップと、
透明表示領域の正面発光輝度値が非透明表示領域の発光輝度値と一致するように、または、前記透明表示領域の正面発光輝度値が工場出荷設定輝度値に戻るように、前記第１データ関係および／または前記第２データ関係に基づいて、前記透明表示領域の入力電圧を調整するステップと、を含む
ことを特徴とするディスプレイパネルの輝度補正方法。
【請求項１２】
前記ディスプレイパネルが工場出荷される前に、前記透明表示領域の発光材料の減衰サイクルと減衰状態に基づいて前記第１データ関係のセットおよび前記第２データ関係のセットを得るステップをさらに含み、
前記第１データ関係のセットおよび前記第２データ関係のセットの中には、少なくとも前記透明表示領域の高レベル、中レベル、低レベルの階調の表示状態での各入力電圧の絶対値と対応する発光輝度値との対応関係が含まれており、
前記透明表示領域のピクセルは、ｎ種類の色のサブピクセルを含み、ｎは、正の整数であり、前記第１データ関係のセットおよび前記第２データ関係のセットの中には、各種類の色の表示画面での各色のサブピクセルに対応する各入力電圧の絶対値と対応する発光輝度値との対応関係が含まれており、
ｎ=３であり、前記透明表示領域のピクセルは、第１色のサブピクセル、第２色のサブピクセル、および、第３色のサブピクセルを含み、前記第１色のサブピクセル、前記第２色のサブピクセル、前記第３色のサブピクセルは、それぞれ、Ｒサブピクセル、Ｇサブピクセル、Ｂサブピクセルであり、
前記予め記憶された第１データ関係のセットの中から、前記ディスプレイパネルの現在の作動時間長さに対応する第１データ関係を検索するステップは、
予め記憶された前記第１データ関係のセットの中から、前記ディスプレイパネルの現在の作動時間長さに対応する、第ｎ種類の色のサブピクセルに対応する第１データ関係をそれぞれ検索するステップを含み、
前記予め記憶された第２データ関係のセットの中から、前記ディスプレイパネルの現在の輝度減衰状態に対応する第２データ関係を検索するステップは、
予め記憶された前記第２データ関係のセットの中から、前記ディスプレイパネルの現在の輝度減衰状態に対応する、第ｎ種類の色のサブピクセルに対応する第２データ関係をそれぞれ検索するステップを含む
ことを特徴とする請求項１１に記載のディスプレイパネルの輝度補正方法。
【請求項１３】
ディスプレイパネルの輝度補正装置であって、
前記ディスプレイパネルは、
透明表示領域と、
非透明表示領域と、を含み、
前記透明表示領域は、両面発光表示領域であり、前記透明表示領域の正面は、環境光から近い側の面であり、背面は、前記環境光から遠い側の面であり、
前記輝度補正装置は、
輝度補正起動命令に従って輝度補正プロセスを起動するための起動モジュールと、
現在状態での前記透明表示領域の入力電圧の絶対値と前記透明表示領域の発光輝度値との関係を示す第１曲線を取得するための第１曲線取得モジュールと、
前記第１曲線を記憶するための第１記憶モジュールと、
輝度補正のための入力電圧の絶対値と前記透明表示領域の輝度関係曲線として前記第１曲線を記録するための更新モジュールと、
前記透明表示領域の正面発光輝度値が非透明表示領域の発光輝度値と一致するように、または、前記透明表示領域の正面発光輝度値が工場出荷設定輝度値に戻るように、前記第１曲線に従って前記透明表示領域の入力電圧を調整する補正モジュールと、を備える
ことを特徴とするディスプレイパネルの輝度補正装置。
【請求項１４】
ユーザが発した輝度補正指示を受信するための受信モジュールと、
輝度補正起動命令を生成するための起動命令生成モジュールと、
現在状態での前記透明表示領域の発光輝度値が所定の輝度減衰要件を満たすか否かを判断するための第１判断モジュールと、
現在時間長さが所定の輝度補正サイクル内の輝度補正時間長さ要件を満たすか否かを判断するための第２判断モジュールと、
環境光の強度を判断するための第３判断モジュールと、
現在時点がユーザの空き時間であるか否かを判断するための第４判断モジュールであって、ここで、前記空き時間は、前記ディスプレイパネルのスリープ時間が所定の閾値を超えた後の時間帯、および／または、所定の固定時間帯である、第４判断モジュールと、
現在状態での透明表示領域の現在入力電圧と発光輝度値との関係を示す第１曲線を補正する必要があるか否かを判断するための第５判断モジュールと、
前記透明表示領域の背面の輝度画像を分析して、異なる入力電圧での透明表示領域の背面発光輝度値を取得するための画像分析モジュールと、
透明表示領域の正面発光輝度値と背面発光輝度値との比率値を記憶するための第２記憶モジュールであって、ここで、同一の透明表示領域の場合、異なる入力電圧での前記正面発光輝度値と背面発光輝度値との比率値は一意に定まる、第２記憶モジュールと、
第１曲線のセットを記憶するための第３記憶モジュールであって、ここで、前記第１曲線のセットは、前記ディスプレイパネルの異なる減衰状態での、前記透明表示領域の入力電圧の絶対値と前記透明表示領域の発光輝度値との関係を示す第１曲線のセットであり、または、前記第１曲線のセットは、前記ディスプレイパネルの作動時間長さに対応する、異なる減衰状態での、前記透明表示領域の入力電圧の絶対値と前記透明表示領域の発光輝度値との関係を示す第１曲線のセットである、第３記憶モジュールと、をさらに備える
ことを特徴とする請求項１３に記載のディスプレイパネルの輝度補正装置。
【手続補正２】
【補正対象書類名】図面
【補正対象項目名】図１２
【補正方法】変更
【補正の内容】
【図１２】
2021533418.tif 000015
【国際調査報告】
2021533418.tif 000016
2021533418.tif 000017
2021533418.tif 000018
2021533418.tif 000019